(57)【要約】【課題】着用者が任意の強さで筋肉や関節をサポートすることが可能となり、怪我の防止と疲労の軽減を実現することが可能となるスパッツを提供する。【解決手段】本発明を適用したスパッツ１は、着用者の脚が挿通される脚筒部３と、脚筒部３が巻き付けられる脚ベルト４とを備え、脚筒部３は、正面側３ｂに設けられるとともに、着用者の膝付近が覆われる膝部３１と、背面側３ａに設けられる脚ベルト固定部３２とを有し、脚ベルト４は、中央部付近４ｃが膝部３１の背面側３１ａに固定され、端部側４ａ、４ｂが脚ベルト固定部３２に着脱自在に固定されることを特徴とする。【選択図】図２
2018024952.tif 000002
【特許請求の範囲】
【請求項１】
着用者の脚が挿通される脚筒部と、
前記脚筒部が巻き付けられる脚ベルトとを備え、
前記脚筒部は、正面側に設けられるとともに、着用者の膝付近が覆われる膝部と、背面側に設けられる脚ベルト固定部とを有し、
前記脚ベルトは、一方の端部側又は中央部付近が前記膝部の背面側に固定され、他方の端部側が前記脚ベルト固定部に着脱自在に固定されること
を特徴とするスパッツ。
【請求項２】
前記脚ベルト固定部は、前記膝部の背面側よりも上側に設けられ、
前記脚ベルトは、中央部付近が前記膝部の背面側に固定され、両端部側が前記脚ベルト固定部に着脱自在に固定されること
を特徴とする請求項１記載のスパッツ。
【請求項３】
前記脚ベルト固定部は、前記膝部の背面側よりも下側に設けられ、
前記脚ベルトは、中央部付近が前記膝部の背面側に固定され、両端部側が前記脚ベルト固定部に着脱自在に固定されること
を特徴とする請求項１記載のスパッツ。
【請求項４】
前記脚ベルト固定部は、前記膝部の背面側よりも上側と、下側とに設けられ、
前記脚ベルトは、中央部付近が前記膝部の背面側に固定され、両端部側が前記脚ベルト固定部に着脱自在に固定されること
を特徴とする請求項１記載のスパッツ。
【請求項５】
前記脚筒部は、伸縮する生地で構成され、
前記脚ベルト固定部は、前記脚筒部を構成する生地よりも伸縮性が小さい生地で構成されること
を特徴とする請求項１〜４の何れか１項記載のスパッツ。
【請求項６】
前記脚ベルトは、千鳥縫いされて前記膝部の背面側に固定されること
を特徴とする請求項１〜５の何れか１項記載のスパッツ。
【請求項７】
前記脚ベルト固定部は、縁部側が千鳥縫いされて前記脚筒部の背面側に設けられること
を特徴とする請求項１〜６の何れか１項記載のスパッツ。
【請求項８】
前記脚ベルト固定部は、前記膝部から遠ざかるにつれて幅が狭小となるように形成されること
を特徴とする請求項１〜７の何れか１項記載のスパッツ。
【請求項９】
前記脚筒部は、下端部が裁断されて形成されること
を特徴とする請求項１〜８の何れか１項記載のスパッツ。
【請求項１０】
前記脚筒部の上端部に設けられて着用者の下腹が挿通される下腹筒部と、前記下腹筒部に巻き付けられる下腹ベルトとをさらに備え、
前記下腹ベルトは、中央部付近が千鳥縫いされて前記下腹筒部の背面側に固定され、両端部側が前記下腹筒部の正面側で着脱自在とされること
を特徴とする請求項１〜９の何れか１項記載のスパッツ。
【請求項１１】
着用者の胴体が挿通される胴筒部と、
前記胴筒部が巻き付けられる背筋ベルトとを備え、
前記背筋ベルトは、一方の端部側が前記胴筒部の背面側に固定され、他方の端部側が前記胴筒部の正面側に着脱自在に固定されること
を特徴とするシャツ。
【発明の詳細な説明】
【技術分野】
【０００１】
本発明は、着用者の筋肉の動作をサポートするスパッツ及びシャツに関する。
【背景技術】
【０００２】
従来、着用者の筋肉の動作をサポートする衣類に関して、例えば、特許文献１〜２の技術が開示されている。
【０００３】
特許文献１に開示された運動用スパッツは、踝の上方から、ウエストラインまでの長さを有し、丸編地からなるものであって、運動に必要な筋肉のサポートの要求に応じて、所定部分に比較的緊締力の強い部分とそれ以外の比較的緊締力の弱い部分がパターン状に設けられており、比較的緊締力の強い部分が、カットボス編手法によって形成されるものである。これにより、特許文献１に開示された運動用スパッツは、緊締力の強い部分と弱い部分を凹凸差が顕著に生じることなく、所望のパターン状に設ける事が出来、筋肉疲労の軽減、肉離れ、靭帯や腱の断裂や損傷の予防、特定筋肉サポートによる運動能力補助等のテーピング機能を有することができる。
【０００４】
しかしながら、特許文献１に開示された運動用スパッツは、所定部分に比較的緊締力の強い部分とそれ以外の比較的緊締力の弱い部分がパターン状に設けられているため、着用者が着用しにくく、また着用者自身が運動能力を補助する部位や強度を調整することができないという問題点があった。
【０００５】
特許文献２に開示された下半身部用衣類は、下半身部用衣類の右足把持バンド部、左足把持バンド部は、着用者の下半身部に密着する下半身部用衣類本体に対して移動不能である。特許文献２に開示された下半身部用衣類は、該右足把持バンド部は、該下結合点から、右太股の前側、右脚の外側、右脚の膝の裏側にある大腿三頭筋、右脚の内側、右脚のふくらはぎ、及び右脚の内側のくるぶしのすぐ上にこの順で対向するように螺旋状に巻回されるように配置される。これにより、特許文献２に開示された下半身部用衣類は、バンドの部分が確実且つ容易に人体の所望の位置に配置可能となる。
【０００６】
しかしながら、特許文献２に開示された下半身部用衣類は、着用者に対して締め付けない程度に密着するように構成されるものの、伸縮可能なバンドが下半身部用衣類本体部に着脱自在に固定されるものではないため、着用者自身が運動能力を補助する強度を調整することができないという問題点があった。
【０００７】
また、特許文献２に開示された上半身部用衣類は、右肩把持バンド部、左肩把持バンド部は、上半身部用衣類本体に対して移動不能である。特許文献２に開示された上半身部用衣類は、該右肩挟持バンド部の一部が大きなリング状とされて構成された右肩掛け部が設けられている。
【０００８】
しかしながら、特許文献２に開示された上半身部用衣類は、着用者に対して締め付けない程度に密着するように構成されるものの、伸縮可能なバンドが上半身部用衣類に着脱自在に固定されるものではないため、着用者自身が運動能力を補助する強度を調整することができないという問題点があった。
【先行技術文献】
【特許文献】
【０００９】
【特許文献１】特開２００１−２１４３０３号公報
【特許文献２】特開２０１２−１０１１０７号公報
【発明の概要】
【発明が解決しようとする課題】
【００１０】
そこで、本発明は、上述した問題点に鑑みて案出されたものであり、その目的とするところは、着用者が任意の強さで筋肉や関節をサポートすることが可能となり、怪我の防止と疲労の軽減を実現することが可能となるスパッツ及びシャツを提供することにある。
【課題を解決するための手段】
【００１１】
第１発明に係るスパッツは、着用者の脚が挿通される脚筒部と、前記脚筒部が巻き付けられる脚ベルトとを備え、前記脚筒部は、正面側に設けられるとともに、着用者の膝付近が覆われる膝部と、背面側に設けられる脚ベルト固定部とを有し、前記脚ベルトは、一方の端部側又は中央部付近が前記膝部の背面側に固定され、他方の端部側が前記脚ベルト固定部に着脱自在に固定されることを特徴とする。
【００１２】
第２発明に係るスパッツは、第１発明において、前記脚ベルト固定部は、前記膝部の背面側よりも上側に設けられ、前記脚ベルトは、中央部付近が前記膝部の背面側に固定され、両端部側が前記脚ベルト固定部に着脱自在に固定されることを特徴とする。
【００１３】
第３発明に係るスパッツは、第１発明において、前記脚ベルト固定部は、前記膝部の背面側よりも下側に設けられ、前記脚ベルトは、中央部付近が前記膝部の背面側に固定され、両端部側が前記脚ベルト固定部に着脱自在に固定されることを特徴とする。
【００１４】
第４発明に係るスパッツは、第１発明において、前記脚ベルト固定部は、前記膝部の背面側よりも上側と、下側とに設けられ、前記脚ベルトは、中央部付近が前記膝部の背面側に固定され、両端部側が前記脚ベルト固定部に着脱自在に固定されることを特徴とする。
【００１５】
第５発明に係るスパッツは、第１発明〜第４発明の何れかにおいて、前記脚筒部は、伸縮する生地で構成され、前記脚ベルト固定部は、前記脚筒部を構成する生地よりも伸縮性が小さい生地で構成されることを特徴とする。
【００１６】
第６発明に係るスパッツは、第１発明〜第５発明の何れかにおいて、前記脚ベルトは、千鳥縫いされて前記膝部の背面側に固定されることを特徴とする。
【００１７】
第７発明に係るスパッツは、第１発明〜第６発明の何れかにおいて、前記脚ベルト固定部は、縁部側が千鳥縫いされて前記脚筒部の背面側に設けられることを特徴とする。
【００１８】
第８発明に係るスパッツは、第１発明〜第７発明の何れかにおいて、前記脚ベルト固定部は、前記膝部から遠ざかるにつれて幅が狭小となるように形成されることを特徴とする。
【００１９】
第９発明に係るスパッツは、第１発明〜第８発明の何れかにおいて、前記脚筒部は、下端部が裁断されて形成されることを特徴とする。
【００２０】
第１０発明に係るスパッツは、第１発明〜第９発明の何れかにおいて、前記脚筒部の上端部に設けられて着用者の下腹が挿通される下腹筒部と、前記下腹筒部に巻き付けられる下腹ベルトとをさらに備え、前記下腹ベルトは、中央部付近が千鳥縫いされて前記下腹筒部の背面側に固定され、両端部側が前記下腹筒部の正面側で着脱自在とされることを特徴とする。
【００２１】
第１１発明に係るシャツは、着用者の胴体が挿通される胴筒部と、前記胴筒部が巻き付けられる背筋ベルトとを備え、前記背筋ベルトは、一方の端部側が前記胴筒部の背面側に固定され、他方の端部側が前記胴筒部の正面側に着脱自在に固定されることを特徴とする。
【発明の効果】
【００２２】
第１発明〜第１０発明によれば、脚ベルトの何れか一方の端部側が脚ベルト固定部に着脱自在に固定されることによって、脚ベルトに作用させる引張力を調整することが可能となり、その結果、着用者が任意の強さで大腿四頭筋やふくらはぎ等の筋肉や膝の関節をサポートすることが可能となり、怪我の防止と疲労の軽減を実現することが可能となる。
【００２３】
第２発明によれば、特に、膝関節を安定させるとともに、ハムストリングスの筋振動を抑制することが可能となり、その負担を軽減することが可能となり、怪我の防止と疲労の軽減を実現することが可能となる。
【００２４】
第３発明によれば、特に、ふくらはぎの筋振動を抑制することが可能となり、その負担を軽減することが可能となり、怪我の防止と疲労の軽減を実現することが可能となる。
【００２５】
第４発明によれば、特に、膝関節を安定させるとともに、大腿四頭筋とふくらはぎとの負担を軽減させることが可能となり、怪我の防止と疲労の軽減を実現することが可能となる。また、第４発明によれば、特に、負担を軽減させたい大腿四頭筋やふくらはぎ等の筋肉や膝の関節を着用者が任意で選択することが可能となる。
【００２６】
第５発明によれば、特に、脚筒部の伸縮が制限されるため、着用者の脚を緊締する力が強くなり、着用者が歩行動作を行うとき、着用者の脚の筋振動を抑制することが可能となり、その負担を軽減することが可能となる。
【００２７】
第６発明によれば、特に、脚ベルトが膝部の背面側に千鳥縫いされて固定されることによって、着用者が脚ベルトに引張力を作用させたとき、糸が抜けるのを防止することが可能となるとともに、糸切れを防止することが可能となり、脚ベルトが膝部の背面側から脱落するのを防止することが可能となる。
【００２８】
第７発明によれば、特に、着用者が着用したとき脚ベルト固定部の縁部側に引張力が作用するものの、脚ベルト固定部の縁部側が脚筒部の背面側に千鳥縫いされて固定されることによって、糸が抜けるのを防止することが可能となるとともに、糸切れを防止することが可能となり、脚ベルト固定部が脚筒部の背面側から脱落するのを防止することが可能となる。
【００２９】
第８発明によれば、特に、脚ベルト固定部の材料のロスを減少させることが可能となる。
【００３０】
第９発明によれば、特に、脚筒部の下端部が裁断されて形成されることによって、折り返された縫い代が設けられないため、着用者の脚が脚筒部の下端部で擦れるのを防止するとともに、圧迫されるのを軽減することが可能となる。
【００３１】
第１０発明によれば、特に、着用者の股関節が下腹ベルトによって緊締されるため、着用者が歩行動作を行うとき、着用者の股関節の動作を安定させることが可能となり、怪我の防止と疲労の軽減を実現することが可能となる。また、第１０発明によれば、特に、下腹ベルトの中央部付近が千鳥縫いされて固定されることによって、下腹ベルトに引張力が作用したとき、糸が抜けるのを防止することが可能となるとともに、糸切れを防止することが可能となり、下腹ベルトが下腹筒部の背面側から脱落するのを防止することが可能となる。
【００３２】
第１１発明によれば、特に、背筋ベルトの端部側が背筋ベルト固定部に着脱自在に固定されることによって、背筋ベルトに作用させる引張力を調整することが可能となり、その結果、着用者が任意の強さで背筋や腹斜筋群等の筋肉をサポートすることが可能となり、怪我の防止と疲労の軽減を実現することが可能となる。
【図面の簡単な説明】
【００３３】
【図１】（ａ）は、本発明を適用したスパッツを示す正面図であり、（ｂ）は、その背面図である。
【図２】（ａ）は、本発明を適用したスパッツを着用者が着用した状態を示す正面図であり、（ｂ）は、その背面図である。
【図３】（ａ）は、本発明を適用したスパッツを着用者が着用した状態を示す正面図であり、（ｂ）は、その背面図である。
【図４】（ａ）は、本発明を適用したスパッツを着用者が着用した状態を示す正面図であり、（ｂ）は、その背面図である。
【図５】（ａ）は、本発明を適用したスパッツを着用者が着用した状態を示す正面図であり、（ｂ）は、その背面図である。
【図６】（ａ）は、本発明を適用したシャツを示す正面図であり、（ｂ）は、その背面図である。
【図７】（ａ）は、本発明を適用したシャツを着用者が着用した状態を示す正面図であり、（ｂ）は、その背面図である。
【発明を実施するための形態】
【００３４】
以下、本発明を適用したスパッツ１を実施するための形態について、図面を参照しながら詳細に説明する。
【００３５】
本発明を適用したスパッツ１は、着用者の筋肉や関節の動作をサポートする下半身用のスパッツであって、日常生活時、ランニングや登山等の運動時等に用いられる。
【００３６】
スパッツ１は、着用者の脚が挿通される２つの脚筒部３と、脚筒部３が巻き付けられる脚ベルト４と、脚筒部３の上端部３８に設けられて着用者の下腹が挿通される下腹筒部２と、下腹筒部２の背面側２ａに固定される下腹ベルト５とを備える。
【００３７】
脚筒部３は、筒状に形成され、上端部３８が開口されており、上端部３８で着用者の股関節付近が挿通されるものとなる。また脚筒部３は、下端部３９が開口されており、下端部３９で着用者の踝付近が挿通されるものとなる。脚筒部３は、下端部３９が裁断されて形成される。
【００３８】
脚筒部３は、伸縮する生地が用いられ、例えば、使用原糸として、質量換算で７０％程度のナイロンと、３０％程度のポリウレタンとが混用された生地が用いられる。この他、例えば、質量換算で７０％程度のナイロンと、３０％程度のポリエステルとが混用された生地が用いられてもよい。
【００３９】
脚筒部３は、正面側３ｂに設けられるとともに、着用者の膝付近が覆われる膝部３１と、背面側３ａに設けられる脚ベルト固定部３２とを有する。
【００４０】
脚ベルト固定部３２は、脚筒部３を構成する生地よりも伸縮性の小さい生地が用いられる面ファスナーで構成される。脚ベルト固定部３２は、膝部３１から遠ざかるにつれて幅が狭小となるように形成され、縁部側３２ａが４点千鳥縫いされて脚筒部３の背面側３ａに固定される。なお、ここでいう縁部側とは、縁部と縁部付近のことをいう。
【００４１】
ここでいう４点千鳥縫いとは、千鳥を形成する山部と谷部との間に４か所止め縫いされていることをいい、縫い付けられる糸は合成繊維糸、天然繊維糸、または合成繊維糸と天然繊維糸の混合糸等が用いられる。
【００４２】
脚ベルト固定部３２は、膝部３１の背面側３１ａよりも上側に設けられる膝上固定部３３と、膝部３１の背面側３１ａよりも下側に設けられる膝下固定部３４とを有する。
【００４３】
膝上固定部３３は、上側が下側よりも縮小した台形状に形成されて、脚筒部３の上端部３８近傍に配置される。膝上固定部３３の縁部側を縁部側３３ａとする。
【００４４】
膝下固定部３４は、下側が上側よりも縮小した台形状に形成されて、脚筒部３の下端部３９近傍に配置される。膝下固定部３４の縁部側を縁部側３４ａとする。
【００４５】
脚ベルト４は、細長い帯状に形成されるとともに、伸縮する生地が用いられ、例えば、使用原糸として、質量換算で７０％程度のナイロンと、３０％程度のポリウレタンとが混用された生地が用いられる。この他、例えば、質量換算で７０％程度のナイロンと、３０％程度のポリエステルとが混用された生地が用いられてもよい。
【００４６】
脚ベルト４は、一方の端部側４ａに面ファスナー４１が取り付けられ、他方の端部側４ｂに面ファスナー４２が取り付けられる。ここでいう端部側４ａと端部側４ｂとは、それぞれ端部とその端部近傍のことをいう。脚ベルト４は、両端部側４ａ、４ｂに取り付けられた面ファスナー４１、４２を脚ベルト固定部３２に貼り付けることで、両端部側４ａ、４ｂが脚筒部３の背面側３ａに設けられる脚ベルト固定部３２に着脱自在に固定される。
【００４７】
脚ベルト４は、中央部付近４ｃが膝部３１の背面側３１ａに矩形状に４点千鳥縫いされて固定される。なお、脚ベルト４は、中央部付近４ｃが膝部３１の背面側３１ａに固定されるものに限られず、一部が膝部３１の背面側３１ａに固定されていればよい。
【００４８】
下腹筒部２は、伸縮する生地が用いられ、例えば、使用原糸として、質量換算で７０％程度のナイロンと、３０％程度のポリウレタンとが混用された生地が用いられる。この他、例えば、質量換算で７０％程度のナイロンと、３０％程度のポリエステルとが混用された生地が用いられてもよい。  
【００４９】
下腹筒部２は、筒状に形成され、上端部２８が開口されている。また、下腹筒部２は、下端部２９が２か所で開口されており、それぞれ２つの脚筒部３の上端部３８に一体となって設けられる。
【００５０】
下腹ベルト５は、細長い帯状に形成されて、伸縮する生地が用いられ、例えば、使用原糸として、質量換算で７０％程度のナイロンと、３０％程度のポリウレタンとが混用された生地が用いられる。この他、例えば、質量換算で７０％程度のナイロンと、３０％程度のポリエステルとが混用された生地が用いられてもよい。
【００５１】
下腹ベルト５は、下腹筒部２に巻き付けられ、中央部付近５ｃが矩形状に４点千鳥縫いされて下腹筒部２の背面側２ａにおける上端部２８付近に固定され、両端部側５ａ、５ｂが下腹筒部２の正面側２ｂで着脱自在とされる。
【００５２】
下腹ベルト５の一方の端部側５ａは、面ファスナー５１が取り付けられ、また、下腹ベルト５の他方の端部側５ｂは、面ファスナー５２が取り付けられる。この面ファスナー５１と、面ファスナー５２とを互いに重ね合わせることで、下腹ベルト５は、両端部側５ａ、５ｂが下腹筒部２の正面側２ｂで着脱自在とされるものとなる。なお、ここでいう端部側５ａと端部側５ｂとは、それぞれ端部とその端部近傍のことをいう。
【００５３】
次に、本発明を適用したスパッツ１の作用効果について説明する。
【００５４】
図２（ａ）は、本発明を適用したスパッツ１を着用者が着用した状態を示す正面図を示し、（ｂ）は、その背面図を示す。図示の形態は、脚ベルト４の両端部側４ａ、４ｂが膝上固定部３３にそれぞれ着脱自在に固定されている。
【００５５】
スパッツ１は、脚ベルト４が脚筒部３の正面側３ｂで、特に着用者の膝蓋骨の下側付近で交差するように脚筒部３に巻き付けられるものとなる。そして、スパッツ１は、脚ベルト４が着用者の大腿四頭筋の内側付近を通るように脚筒部３に巻き付けられ、脚ベルト４の一方の端部側４ａが膝上固定部３３に着脱自在に固定される。また、スパッツ１は、脚ベルト４が大腿四頭筋の外側付近を通るように脚筒部３に巻き付けられ、脚ベルト４の他方の端部側４ｂが膝上固定部３３に着脱自在に固定される。このとき、スパッツ１は、脚ベルト４に引張力が作用した状態で、両端部側４ａ、４ｂが膝上固定部３３に固定されるものとなる。
【００５６】
これにより、スパッツ１は、着用者の膝蓋骨が下側から脚ベルト４によって緊締されるとともに、着用者の大腿四頭筋の内側と外側とが脚ベルト４によって緊締されることとなる。このため、スパッツ１は、着用者が歩行動作を行うとき、着用者の膝が倒れ込むのを抑制するとともに、大腿四頭筋の筋振動を抑制することが可能となる。その結果、スパッツ１は、左右の膝関節を安定させることが可能となるとともに、大腿四頭筋の負担を軽減させることが可能となり、怪我の防止と疲労の軽減を実現することが可能となる。特に、図２の形態において、スパッツ１は、膝への衝撃の大きい下り坂や階段を降りる際に有用となる。
【００５７】
スパッツ１は、着用者が着用するとき、脚筒部３及び下腹筒部２の生地が伸びた状態で着用者の脚及び下腹が脚筒部３及び下腹筒部２に挿通される。このスパッツ１は、着用者の脚及び下腹が脚筒部３及び下腹筒部２に密着するようにして着用されるものの、脚筒部３及び下腹筒部２の生地の伸縮力によって着用者の脚及び下腹が締め付けられることなく、ほどよい装着感を実現するものである。このようにスパッツ１は、脚筒部３と下腹筒部２とが伸縮する生地で構成されることによって、着用者が容易に着用と脱衣を行うことが可能となる。
【００５８】
スパッツ１は、膝上固定部３３が脚筒部３の上端部３８近傍に配置されることによって、着用者が着用したとき、着用者の大腿背面の筋肉である、ハムストリングス付近に配置されるものとなる。このとき、スパッツ１は、膝上固定部３３が脚筒部３よりも伸縮性の小さい生地で構成され、膝上固定部３３の縁部側３３ａが脚筒部３の背面側３ａに縫い付けられて固定されることによって、ハムストリングス付近に対向する脚筒部３の伸縮が制限されるため、ハムストリングスを緊締する力が強くなる。これにより、スパッツ１は、着用者が歩行動作を行うとき、ハムストリングスの筋振動を抑制することが可能となり、その負担を軽減することが可能となる。
【００５９】
スパッツ１は、脚ベルト４の両端部側４ａ、４ｂを膝上固定部３３に固定したとき、脚筒部３の背面側３ａにおいて一方の端部側４ａが大腿四頭筋の内側からハムストリングスに向けて傾斜して配置され、他方の端部側４ｂが大腿四頭筋の外側からハムストリングスに向けて傾斜して配置されるものとなる。このため、スパッツ１は、膝上固定部３３の上側が下側よりも縮小した台形状に形成されることによって、膝上固定部３３の形状に合わせて両端部側４ａ、４ｂを配置させて膝上固定部３３に着脱自在に固定させることが可能となる。その結果、スパッツ１は、面ファスナーで構成される膝上固定部３３の材料のロスを減少させることが可能となる。
【００６０】
スパッツ１は、膝下固定部３４が脚筒部３の下端部３９近傍に配置されることによって、着用者が着用したとき、着用者の脛背面の筋肉である、ふくらはぎ付近に配置されるものとなる。このとき、スパッツ１は、膝下固定部３４が脚筒部３よりも伸縮性の小さい生地で構成され、膝下固定部３４の縁部側３４ａが脚筒部３の背面側３ａに縫い付けられて固定されることによって、ふくらはぎ付近に対向する脚筒部３の伸縮が制限されるため、ふくらはぎを緊締する力が強くなる。これにより、スパッツ１は、着用者が歩行動作を行うとき、ふくらはぎの筋振動を抑制することが可能となり、その負担を軽減することが可能となる。
【００６１】
スパッツ１は、着用者が着用したとき脚ベルト固定部３２の縁部側３２ａに引張力が作用するものの、脚ベルト固定部３２の縁部側３２ａが脚筒部３の背面側３ａに千鳥縫いされて固定される。これにより、スパッツ１は、糸が抜けるのを防止することが可能となるとともに、糸切れを防止することが可能となる。このため、スパッツ１は、脚ベルト固定部３２が脚筒部３の背面側３ａから脱落するのを防止することが可能となる。
【００６２】
スパッツ１は、脚ベルト４の中央部付近４ｃが膝部３１の背面側３１ａに千鳥縫いされて固定されることによって、着用者が脚ベルト４に引張力を作用させたとき、糸が抜けるのを防止することが可能となるとともに、糸切れを防止することが可能となる。このため、スパッツ１は、脚ベルト４が膝部３１の背面側３１ａから脱落するのを防止することが可能となる。
【００６３】
スパッツ１は、脚筒部３の下端部３９が裁断されて形成されることによって、折り返された縫い代が設けられないため、着用者の脚が脚筒部３の下端部３９で擦れるのを防止するとともに、圧迫されるのを軽減することが可能となる。
【００６４】
スパッツ１は、面ファスナー５１と、面ファスナー５２とを互いに重ね合わせることで、下腹ベルト５の両端部側５ａ、５ｂが下腹筒部２の正面側２ｂで着脱自在とされるものとなる。このとき、スパッツ１は、下腹ベルト５に引張力が作用した状態で、下腹筒部２に巻き付けられるものとなる。
【００６５】
これにより、スパッツ１は、着用者の股関節付近が下腹ベルト５によって緊締されるため、着用者が歩行動作を行うとき、着用者の股関節付近の動作を安定させることが可能となり、怪我の防止と疲労の軽減を実現することが可能となる。
【００６６】
また、スパッツ１は、着用者が必要なときに応じて下腹ベルト５の巻き付け具合を調整することで、適宜股関節付近をサポートすることが可能となる。スパッツ１は、下腹ベルト５の両端部側５ａ、５ｂに取り付けられた面ファスナー５１、５２を下腹筒部２の正面側２ｂで互いに着脱されるため、着用者が股関節付近をサポートしたいときに容易に行うことが可能となる。
【００６７】
スパッツ１は、下腹ベルト５の中央部付近５ｃが千鳥縫いされて固定されることによって、下腹ベルト５に引張力が作用したとき、糸が抜けるのを防止することが可能となるとともに、糸切れを防止することが可能となる。このため、スパッツ１は、下腹ベルト５が下腹筒部２の背面側２ａから脱落するのを防止することが可能となる。
【００６８】
図３（ａ）は、本発明を適用したスパッツ１を着用者が着用した状態を示す正面図を示し、（ｂ）は、その背面図を示す。図示の形態は、脚ベルト４の両端部側４ａ、４ｂが膝下固定部３４にそれぞれ着脱自在に固定されている。
【００６９】
スパッツ１は、脚ベルト４が脚筒部３の正面側３ｂで、特に着用者の脛の正面で交差されて脚筒部３に巻き付けられるものとなる。そして、スパッツ１は、脚ベルト４が着用者のふくらはぎの内側を通るように脚筒部３に巻き付けられ、脚ベルト４の一方の端部側４ａが膝下固定部３４に着脱自在に固定される。また、スパッツ１は、脚ベルト４が着用者のふくらはぎの外側を通るように脚筒部３に巻き付けられ、脚ベルト４の他方の端部側４ｂが膝下固定部３４に着脱自在に固定される。このとき、スパッツ１は、脚ベルト４に引張力が作用した状態で、両端部側４ａ、４ｂが膝下固定部３４に固定されるものとなる。
【００７０】
これにより、スパッツ１は、着用者のふくらはぎの内側と外側とが脚ベルト４によって緊締される。このため、スパッツ１は、着用者が歩行動作を行うとき、ふくらはぎの筋振動を抑制することが可能となり、その結果、ふくらはぎの負担を軽減させることが可能となり、怪我の防止と疲労の軽減を実現することが可能となる。
【００７１】
スパッツ１は、脚ベルト４の両端部側４ａ、４ｂを膝下固定部３４に固定したとき、脚筒部３の背面側３ａにおいて一方の端部側４ａが脛の内側からふくらはぎに向けて傾斜して配置され、他方の端部側４ｂが脛の外側からふくらはぎに向けて傾斜して配置されるものとなる。このとき、スパッツ１は、膝下固定部３４の下側が上側よりも縮小した台形状に形成されることによって、膝下固定部３４の形状に合わせて両端部側４ａ、４ｂを配置させて膝下固定部３４に着脱自在に固定させることが可能となる。その結果、スパッツ１は、面ファスナーで構成される膝下固定部３４の材料のロスを減少させることが可能となる。
【００７２】
図４（ａ）は、本発明を適用したスパッツ１を着用者が着用した状態を示す正面図を示し、（ｂ）は、その背面図を示す。図示の形態は、脚ベルト４の他方の端部側４ｂが膝上固定部３３に着脱自在に固定され、一方の端部側４ａが膝下固定部３４に着脱自在に固定されている。
【００７３】
スパッツ１は、脚ベルト４が脚筒部３の正面側３ｂで、特に着用者の膝蓋骨の下側を通るように脚筒部３に巻き付けられる。そして、スパッツ１は、脚ベルト４が大腿四頭筋の外側を通るように脚筒部３に巻き付けられ、脚ベルト４の他方の端部側４ｂが膝上固定部３３に着脱自在に固定される。このとき、スパッツ１は、脚ベルト４に引張力が作用した状態で、他方の端部側４ｂが膝上固定部３３に固定されるものとなる。
【００７４】
また、スパッツ１は、脚ベルト４が脚筒部３の正面側３ｂで、特に着用者の脛の正面を通るように脚筒部３に巻き付けられる。そして、スパッツ１は、脚ベルト４が着用者のふくらはぎの内側を通るように脚筒部３に巻き付けられ、脚ベルト４の一方の端部側４ａが膝下固定部３４に着脱自在に固定される。このとき、スパッツ１は、脚ベルト４に引張力が作用した状態で、一方の端部側４ａが膝下固定部３４に固定されるものとなる。
【００７５】
これにより、スパッツ１は、着用者の膝蓋骨が下側から脚ベルト４によって緊締されるとともに、着用者の大腿四頭筋の外側と着用者のふくらはぎの内側とが脚ベルト４によって緊結されるものとなる。このため、スパッツ１は、着用者が歩行動作を行うとき、着用者の膝が倒れ込むのを抑制するとともに、大腿四頭筋の筋振動を抑制し、同時にふくらはぎの筋振動を抑制することが可能となる。その結果、スパッツ１は、左右の膝関節を安定させるとともに、大腿四頭筋とふくらはぎとの負担を軽減させることが可能となり、怪我の防止と疲労の軽減を実現することが可能となる。
【００７６】
図５（ａ）は、本発明を適用したスパッツ１を着用者が着用した状態を示す正面図を示し、（ｂ）は、その背面図を示す。図示の形態は、脚ベルト４の一方の端部側４ａが膝上固定部３３に着脱自在に固定され、他方の端部側４ｂが膝下固定部３４に着脱自在に固定されている。
【００７７】
このとき、スパッツ１は、着用者の膝蓋骨が下側から脚ベルト４によって緊締されるとともに、着用者の大腿四頭筋の内側と着用者のふくらはぎの外側とが脚ベルト４によって緊結されるものとなる。このため、スパッツ１は、着用者が歩行動作を行うとき、着用者の膝が倒れ込むのを抑制するとともに、大腿四頭筋の筋振動を抑制し、同時にふくらはぎの筋振動を抑制することが可能となる。その結果、スパッツ１は、左右の膝関節を安定させるとともに、大腿四頭筋とふくらはぎとの負担を軽減させることで、怪我の防止と疲労の軽減を実現することが可能となる。
【００７８】
このように、スパッツ１は、脚ベルト４の両端部側４ａ、４ｂが固定される位置を膝上固定部３３及び膝下固定部３４の何れかから選択することによって、負担を軽減させたい大腿四頭筋やふくらはぎ等の筋肉や膝の関節を着用者が任意で選択することが可能となる。
【００７９】
また、スパッツ１は、脚ベルト４の何れか一方の端部側４ａ、４ｂが脚ベルト固定部３２に着脱自在に固定されることによって、脚ベルト４に作用させる引張力を調整することが可能となり、その結果、着用者が任意の強さで大腿四頭筋やふくらはぎ等の筋肉や膝の関節をサポートすることが可能となる。
【００８０】
スパッツ１は、例えば、着用者が登山をする際、坂を上るときには膝への負担が比較的小さいため、脚ベルト４や下腹ベルト５の巻き付けを解除しておき、坂を下るときには膝への負担が比較的大きいため、脚ベルト４を脚筒部３に巻き付けて固定しておくことで、大腿四頭筋やふくらはぎ等の筋肉や膝関節や股関節等の動きをサポートすることができる。また、スパッツ１は、着用者が休憩するときには脚ベルト４や下腹ベルト５の巻き付けを解除しておくことで、緊締された筋肉や関節を圧迫感から解放させることが可能となる。そして、スパッツ１は、脚筒部３及び下腹筒部２の生地の伸縮力によって着用者の脚及び下腹が締め付けられるものではないため、着用者が尿意を催した場合であっても脱衣が容易なものとなる。また、スパッツ１は、着用者が食事をするときには下腹ベルト５の巻き付けを解除しておくことで、圧迫感から解放された状態で食事を行うことが可能となる。
【００８１】
スパッツ１は、例えば、足腰の弱った高齢者等に着用される場合であっても、着用者が階段を上るときには膝への負担が比較的小さいため、脚ベルト４や下腹ベルト５の巻き付けを解除しておき、階段を下るときには膝への負担が比較的大きいため、脚ベルト４を脚筒部３に巻き付けて固定しておくことで、大腿四頭筋、ふくらはぎ等の筋肉や膝関節、股関節等の関節の動きをサポートすることができる。
【００８２】
このようにスパッツ１は、着用者が必要なときに応じて脚ベルト４や下腹ベルト５の巻き付け具合を調整することで、適宜筋肉や関節をサポートすることが可能となる。スパッツ１は、脚ベルト４の両端部側４ａ、４ｂに取り付けられた面ファスナー４１、４２を脚ベルト固定部３２に貼り付けることで、着用者が筋肉や関節をサポートしたいときに容易に行うことが可能となる。
【００８３】
また、スパッツ１は、脚着用者の脚及び下腹が脚筒部３及び下腹筒部２に密着されているものの、締め付けられていないため、ベルト４の両端部側４ａ、４ｂが脚ベルト固定部３２に固定されていないとき、着用者が圧迫感を感じることなく過ごすことが可能となる。即ち、スパッツ１は、特定の部位の筋肉が発達した人、標準よりも体重の重たい人や軽い人等であっても着用することが可能となり、着用者の体型によらず過度な窮屈感やずれ下がりが発生するのを防止することが可能となる。そして、スパッツ１は、脚ベルト４と下腹ベルト５とを適宜調整して脚筒部３と下腹筒部２とにそれぞれ巻き付けられることで、着用者の体型によらず、大腿四頭筋、ふくらはぎ等の筋肉や膝関節、股関節等の関節の動きをサポートすることが可能となる。
【００８４】
なお、本発明に係るスパッツは、膝上固定部と膝下固定部の何れか一方が省略されていてもよい。
【００８５】
また、本発明に係るスパッツは、脚筒部の下端で着用者の踝付近が挿通される、いわゆるロングスパッツで構成されるものを例示したが、脚筒部の下端で着用者の膝付近が挿通される、いわゆるハーフスパッツで構成されるものであってもよい。このとき、膝下固定部が省略されるものとなる。
【００８６】
また、本発明に係るスパッツは、脚ベルトの中央部付近が膝部の背面側に固定されるものを例示したが、一方の端部側が膝部の背面側に固定されて、他方の端部側が脚ベルト固定部に着脱可能に固定されるものであってもよい。
【００８７】
また、本発明に係るスパッツは、下腹ベルトが省略されるものであってもよい。
【００８８】
次に、本発明を適用したシャツ９を実施するための形態について、図面を参照しながら詳細に説明する。
【００８９】
本発明を適用したシャツ９は、着用者の筋肉の動作をサポートするものであって、Ｔシャツ型に形成される。シャツ９は、日常生活時やランニングや登山等の運動時等に用いられる。
【００９０】
シャツ９は、着用者の胴体が挿通される胴筒部６と、胴筒部６が巻き付けられる背筋ベルト７とを備える。
【００９１】
胴筒部６は、背面側６ａに縫い付けられて固定されて設けられるとともに、上下方向に沿った中心線上に設けられる背面固定部８と、背面側６ａに設けられるメッシュ状の生地が用いられるメッシュ部７９と、正面側８ｂに設けられる背筋ベルト固定部８３とを有する。
【００９２】
胴筒部６は、伸縮する生地が用いられ、例えば、使用原糸として、質量換算で７０％程度のナイロンと、３０％程度のポリウレタンとが混用された生地が用いられる。この他、例えば、質量換算で７０％程度のナイロンと、３０％程度のポリエステルとが混用された生地が用いられてもよい。
【００９３】
背面固定部８は、胴筒部６よりも伸縮性の小さい生地が用いられ、例えば、人工皮革が用いられる。背面固定部８は、胴筒部６の背面側６ａの上側に設けられる上側固定部８１と、胴筒部６の背面側６ａの下側に設けられる下側固定部８２とを有する。
【００９４】
メッシュ部７９は、胴筒部６よりも伸縮性の小さい生地が用いられ、上側固定部８１と下側固定部８２の間に設けられる。
【００９５】
背筋ベルト固定部８３は、胴筒部６を構成する生地よりも伸縮性の小さい生地が用いられる面ファスナーで構成される。背筋ベルト固定部８３の縁部側は、胴筒部６の正面側６ｂに縫い付けられて固定される。
【００９６】
背筋ベルト７は、細長い帯状に形成されるとともに、伸縮する生地が用いられ、例えば、使用原糸として、質量換算で７０％程度のナイロンと、３０％程度のポリウレタンとが混用された生地が用いられる。この他、例えば、質量換算で７０％程度のナイロンと、３０％程度のポリエステルとが混用された生地が用いられてもよい。
【００９７】
背筋ベルト７は、上側固定部８１に固定される２本の上側ベルト７１と、下側固定部８２に固定される２本の下側ベルト７２とを有する。
【００９８】
上側ベルト７１は、一方の端部側７１ａが上側固定部８１に固定され、他方の端部側７１ｂが下側ベルト７２に固定される。なお、ここでいう端部側７１ａと端部側７１ｂとは、それぞれ端部とその端部近傍のことをいう。
【００９９】
下側ベルト７２は、一方の端部側７２ａが下側固定部８２に固定され、他方の端部側７２ｂが上側ベルト７１の他方の端部側７１ｂに固定される。下側ベルト７２は、他方の端部側７２ｂに面ファスナー７３が取り付けられる。なお、ここでいう端部側７２ａと端部側７２ｂとは、それぞれ端部とその端部近傍のことをいう。
【０１００】
背筋ベルト７は、面ファスナー７３を背筋ベルト固定部８３に貼り付けることで、下側ベルト７２の他方の端部側７２ｂが胴筒部６の正面側６ｂに設けられる背筋ベルト固定部８３に着脱自在に固定される。
【０１０１】
次に、本発明を適用したシャツ９の作用効果について説明する。
【０１０２】
図７（ａ）は、本発明を適用したシャツ９を着用者が着用した状態を示す正面図を示し、（ｂ）は、その背面図を示す。
【０１０３】
シャツ９は、上側ベルト７１が着用者の背筋の外側付近を通るように胴筒部６に巻き付けられ、上側ベルト７１の他方の端部側７１ｂが胴筒部６の正面側６ｂに配置される。また、シャツ９は、下側ベルト７２が着用者の腰の外側の筋肉である、腹斜筋群付近を通るように胴筒部６に巻き付けられ、下側ベルト７２の他方の端部側７２ｂが背筋ベルト固定部８３に着脱自在に固定される。このとき、スパッツ１は、上側ベルト７１と下側ベルト７２とに引張力が作用した状態で、他方の端部側７１ｂと他方の端部側７２ｂとが胴筒部６の正面側６ｂで固定されるものとなる。
【０１０４】
これにより、シャツ９は、着用者の背筋が上側ベルト７１によって緊締されるとともに、着用者の腹斜筋群が下側ベルト７２によって緊締されることとなる。このため、シャツ９は、着用者が歩行等を行うとき、背筋と腹斜筋群の筋振動を抑制することが可能となり、着用者が立位姿勢を保つことが容易となる。その結果、シャツ９は、背筋と腹斜筋群の負担を軽減させることが可能となり、怪我の防止と疲労の軽減を実現することが可能となる。
【０１０５】
シャツ９は、着用者が着用するとき、胴筒部６の生地が伸びた状態で着用者の胴体が挿通される。このシャツ９は、着用者の胴体が胴筒部６に密着するようにして着用されているものの、胴筒部６の生地の復元力によって着用者の胴体が締め付けられることなく、ほどよい装着感を実現するものである。このようにシャツ９は、胴筒部６が伸縮する生地で構成されることによって、着用者の体型によらず、容易に着用することが可能となる。
【０１０６】
シャツ９は、上側固定部８１が胴筒部６の上側に配置され、下側固定部８２が胴筒部６の下側に配置され、メッシュ部７９が上側固定部８１と下側固定部８２との間に設けられることによって、着用者が着用したとき、上側固定部８１、下側固定部８２及びメッシュ部７９が着用者の背筋付近に配置されるものとなる。このとき、シャツ９は、上側固定部８１、下側固定部８２及びメッシュ部７９が胴筒部６よりも伸縮性の小さい生地で構成され、上側固定部８１と下側固定部８２とが胴筒部６の背面側６ａに縫い付けられて固定されることによって、背筋に対向する胴筒部６の伸縮が制限されるため、背筋を緊締する力が強くなる。これにより、シャツ９は、背筋付近の筋振動を抑制することが可能となり、着用者が立位姿勢を保つことが容易となり、背筋の負担を軽減することが可能となる。
【０１０７】
シャツ９は、背筋ベルト固定部８３が胴筒部６の正面側６ｂの中央近傍に配置されることによって、着用者が着用したとき、着用者の腹筋近傍に配置されるものとなる。このとき、シャツ９は、背筋ベルト固定部８３が胴筒部６よりも伸縮性の小さい生地で構成され、縁部側が胴筒部６の正面側６ｂに縫い付けられて固定されることによって、着用者の腹筋近傍に対向する胴筒部６の伸縮が制限されるため、腹筋を緊締する力が強くなる。これにより、シャツ９は、着用者が歩行等を行うとき、腹筋の筋振動を抑制することが可能となり、着用者が立位姿勢を保つことが容易となり、腹筋の負担を軽減することが可能となる。
【０１０８】
また、シャツ９は、背筋ベルト７の他方の端部側７２ｂが背筋ベルト固定部８３に着脱自在に固定されることによって、背筋ベルト７に作用させる引張力を調整することが可能となり、その結果、着用者が任意の強さで背筋や腹斜筋群等の筋肉を補助することが可能となり、怪我の防止と疲労の軽減を実現することが可能となる。
【０１０９】
以上、本発明の実施形態の例について詳細に説明したが、上述した実施形態は、何れも本発明を実施するにあたっての具体化の例を示したものに過ぎず、これらによって本発明の技術的範囲が限定的に解釈されてはならないものである。
【符号の説明】
【０１１０】
１      ：スパッツ
２      ：下腹筒部
２ａ    ：背面側
２ｂ    ：正面側
３      ：脚筒部
３ａ    ：背面側
３ｂ    ：正面側
４      ：脚ベルト
４ａ    ：端部側
４ｂ    ：端部側
４ｃ    ：中央部付近
５      ：下腹ベルト
５ａ    ：端部側
５ｂ    ：端部側
５ｃ    ：中央部付近
６      ：胴筒部
６ａ    ：背面側
６ｂ    ：正面側
７      ：背筋ベルト
８      ：背面固定部
８ｂ    ：正面側
９      ：シャツ
２８    ：上端部
２９    ：下端部
３１    ：膝部
３１ａ  ：背面側
３２    ：脚ベルト固定部
３２ａ  ：縁部側
３３    ：膝上固定部
３３ａ  ：縁部側
３４    ：膝下固定部
３４ａ  ：縁部側
３８    ：上端部
３９    ：下端部
７１    ：上側ベルト
７１ａ  ：端部側
７１ｂ  ：端部側
７２    ：下側ベルト
７２ａ  ：端部側
７２ｂ  ：端部側
７９    ：メッシュ部
８１    ：上側固定部
８２    ：下側固定部
８３    ：背筋ベルト固定部
【図１】
2018024952.tif 000003
【図２】
2018024952.tif 000004
【図３】
2018024952.tif 000005
【図４】
2018024952.tif 000006
【図５】
2018024952.tif 000007
【図６】
2018024952.tif 000008
【図７】
2018024952.tif 000009
【手続補正書】
【提出日】平成29年9月21日(2017.9.21)
【手続補正１】
【補正対象書類名】特許請求の範囲
【補正対象項目名】全文
【補正方法】変更
【補正の内容】
【特許請求の範囲】
【請求項１】
着用者の脚が挿通される脚筒部と、
前記脚筒部が巻き付けられる脚ベルトとを備え、
前記脚筒部は、正面側に設けられるとともに、着用者の膝付近が覆われる膝部と、背面側に設けられる脚ベルト固定部とを有し、
前記脚ベルト固定部は、前記膝部の背面側よりも上側に設けられる膝上固定部と、前記膝部の背面側よりも下側に設けられる膝下固定部とを有し、
前記脚ベルトは、中央部付近が前記膝部の背面側に固定され、
前記脚ベルトは、着用者の大腿四頭筋の内側を通るように前記脚筒部に巻き付けられて一方の端部側が前記膝上固定部に着脱自在に固定され、又は、着用者のふくらはぎの内側を通るように前記脚筒部に巻き付けられて一方の端部側が前記膝下固定部に着脱自在に固定され、
前記脚ベルトは、着用者の大腿四頭筋の外側を通るように前記脚筒部に巻き付けられて他方の端部側が前記膝上固定部に着脱自在に固定され、又は、着用者のふくらはぎの外側を通るように前記脚筒部に巻き付けられて他方の端部側が前記膝下固定部に着脱自在に固定されること
を特徴とするスパッツ。
【請求項２】
着用者の脚が挿通される脚筒部と、
前記脚筒部が巻き付けられる脚ベルトとを備え、
前記脚筒部は、正面側に設けられるとともに、着用者の膝付近が覆われる膝部と、背面側に設けられる脚ベルト固定部とを有し、
前記脚ベルト固定部は、前記膝部の背面側よりも上側に設けられる膝上固定部を有し、
前記脚ベルトは、
中央部付近が前記膝部の背面側に固定され、
着用者の大腿四頭筋の内側を通るように前記脚筒部に巻き付けられて一方の端部側が前記膝上固定部に着脱自在に固定され、
着用者の大腿四頭筋の外側を通るように前記脚筒部に巻き付けられて他方の端部側が前記膝上固定部に着脱自在に固定され、
前記脚筒部の正面側で交差されること
を特徴とするスパッツ。
【請求項３】
着用者の脚が挿通される脚筒部と、
前記脚筒部が巻き付けられる脚ベルトとを備え、
前記脚筒部は、正面側に設けられるとともに、着用者の膝付近が覆われる膝部と、背面側に設けられる脚ベルト固定部とを有し、
前記脚ベルト固定部は、前記膝部の背面側よりも下側に設けられる膝下固定部を有し、
前記脚ベルトは、
中央部付近が前記膝部の背面側に固定され、
着用者のふくらはぎの内側を通るように前記脚筒部に巻き付けられて一方の端部側が前記膝下固定部に着脱自在に固定され、
着用者のふくらはぎの外側を通るように前記脚筒部に巻き付けられて他方の端部側が前記膝下固定部に着脱自在に固定され、
前記脚筒部の正面側で交差されること
を特徴とするスパッツ。
【請求項４】
前記脚筒部は、伸縮する生地で構成され、
前記脚ベルト固定部は、前記脚筒部を構成する生地よりも伸縮性が小さい生地で構成されること
を特徴とする請求項１〜３の何れか１項記載のスパッツ。
【請求項５】
前記脚ベルトは、千鳥縫いされて前記膝部の背面側に固定されること
を特徴とする請求項１〜４の何れか１項記載のスパッツ。
【請求項６】
前記脚ベルト固定部は、縁部側が千鳥縫いされて前記脚筒部の背面側に設けられること
を特徴とする請求項１〜５の何れか１項記載のスパッツ。
【請求項７】
前記脚ベルト固定部は、前記膝部から遠ざかるにつれて幅が狭小となるように形成されること
を特徴とする請求項１〜６の何れか１項記載のスパッツ。
【請求項８】
前記脚筒部は、下端部が裁断されて形成されること
を特徴とする請求項１〜７の何れか１項記載のスパッツ。
【請求項９】
前記脚筒部の上端部に設けられて着用者の下腹が挿通される下腹筒部と、前記下腹筒部に巻き付けられる下腹ベルトとをさらに備え、
前記下腹ベルトは、中央部付近が千鳥縫いされて前記下腹筒部の背面側に固定され、両端部側が前記下腹筒部の正面側で着脱自在とされること
を特徴とする請求項１〜８の何れか１項記載のスパッツ。
【手続補正３】
【補正対象書類名】明細書
【補正対象項目名】０００１
【補正方法】変更
【補正の内容】
【０００１】
本発明は、着用者の筋肉の動作をサポートするスパッツに関する。
【手続補正４】
【補正対象書類名】明細書
【補正対象項目名】００１０
【補正方法】変更
【補正の内容】
【００１０】
そこで、本発明は、上述した問題点に鑑みて案出されたものであり、その目的とするところは、着用者が任意の強さで筋肉や関節をサポートすることが可能となり、怪我の防止と疲労の軽減を実現することが可能となるスパッツを提供することにある。
【手続補正５】
【補正対象書類名】明細書
【補正対象項目名】００１１
【補正方法】変更
【補正の内容】
【００１１】
第１発明に係るスパッツは、着用者の脚が挿通される脚筒部と、前記脚筒部が巻き付けられる脚ベルトとを備え、前記脚筒部は、正面側に設けられるとともに、着用者の膝付近が覆われる膝部と、背面側に設けられる脚ベルト固定部とを有し、前記脚ベルト固定部は、前記膝部の背面側よりも上側に設けられる膝上固定部と、前記膝部の背面側よりも下側に設けられる膝下固定部とを有し、前記脚ベルトは、中央部付近が前記膝部の背面側に固定され、前記脚ベルトは、着用者の大腿四頭筋の内側を通るように前記脚筒部に巻き付けられて一方の端部側が前記膝上固定部に着脱自在に固定され、又は、着用者のふくらはぎの内側を通るように前記脚筒部に巻き付けられて一方の端部側が前記膝下固定部に着脱自在に固定され、前記脚ベルトは、着用者の大腿四頭筋の外側を通るように前記脚筒部に巻き付けられて他方の端部側が前記膝上固定部に着脱自在に固定され、又は、着用者のふくらはぎの外側を通るように前記脚筒部に巻き付けられて他方の端部側が前記膝下固定部に着脱自在に固定されることを特徴とする。
【手続補正６】
【補正対象書類名】明細書
【補正対象項目名】００１２
【補正方法】変更
【補正の内容】
【００１２】
第２発明に係るスパッツは、着用者の脚が挿通される脚筒部と、前記脚筒部が巻き付けられる脚ベルトとを備え、前記脚筒部は、正面側に設けられるとともに、着用者の膝付近が覆われる膝部と、背面側に設けられる脚ベルト固定部とを有し、前記脚ベルト固定部は、前記膝部の背面側よりも上側に設けられる膝上固定部を有し、前記脚ベルトは、中央部付近が前記膝部の背面側に固定され、着用者の大腿四頭筋の内側を通るように前記脚筒部に巻き付けられて一方の端部側が前記膝上固定部に着脱自在に固定され、着用者の大腿四頭筋の外側を通るように前記脚筒部に巻き付けられて他方の端部側が前記膝上固定部に着脱自在に固定され、前記脚筒部の正面側で交差されることを特徴とする。
【手続補正７】
【補正対象書類名】明細書
【補正対象項目名】００１３
【補正方法】変更
【補正の内容】
【００１３】
第３発明に係るスパッツは、着用者の脚が挿通される脚筒部と、前記脚筒部が巻き付けられる脚ベルトとを備え、前記脚筒部は、正面側に設けられるとともに、着用者の膝付近が覆われる膝部と、背面側に設けられる脚ベルト固定部とを有し、前記脚ベルト固定部は、前記膝部の背面側よりも下側に設けられる膝下固定部を有し、前記脚ベルトは、中央部付近が前記膝部の背面側に固定され、着用者のふくらはぎの内側を通るように前記脚筒部に巻き付けられて一方の端部側が前記膝下固定部に着脱自在に固定され、着用者のふくらはぎの外側を通るように前記脚筒部に巻き付けられて他方の端部側が前記膝下固定部に着脱自在に固定され、前記脚筒部の正面側で交差されることを特徴とする。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】変更
【補正の内容】
【００１５】
第４発明に係るスパッツは、第１発明〜第３発明の何れかにおいて、前記脚筒部は、伸縮する生地で構成され、前記脚ベルト固定部は、前記脚筒部を構成する生地よりも伸縮性が小さい生地で構成されることを特徴とする。
【手続補正１０】
【補正対象書類名】明細書
【補正対象項目名】００１６
【補正方法】変更
【補正の内容】
【００１６】
第５発明に係るスパッツは、第１発明〜第４発明の何れかにおいて、前記脚ベルトは、千鳥縫いされて前記膝部の背面側に固定されることを特徴とする。
【手続補正１１】
【補正対象書類名】明細書
【補正対象項目名】００１７
【補正方法】変更
【補正の内容】
【００１７】
第６発明に係るスパッツは、第１発明〜第５発明の何れかにおいて、前記脚ベルト固定部は、縁部側が千鳥縫いされて前記脚筒部の背面側に設けられることを特徴とする。
【手続補正１２】
【補正対象書類名】明細書
【補正対象項目名】００１８
【補正方法】変更
【補正の内容】
【００１８】
第７発明に係るスパッツは、第１発明〜第６発明の何れかにおいて、前記脚ベルト固定部は、前記膝部から遠ざかるにつれて幅が狭小となるように形成されることを特徴とする。
【手続補正１３】
【補正対象書類名】明細書
【補正対象項目名】００１９
【補正方法】変更
【補正の内容】
【００１９】
第８発明に係るスパッツは、第１発明〜第７発明の何れかにおいて、前記脚筒部は、下端部が裁断されて形成されることを特徴とする。
【手続補正１４】
【補正対象書類名】明細書
【補正対象項目名】００２０
【補正方法】変更
【補正の内容】
【００２０】
第９発明に係るスパッツは、第１発明〜第８発明の何れかにおいて、前記脚筒部の上端部に設けられて着用者の下腹が挿通される下腹筒部と、前記下腹筒部に巻き付けられる下腹ベルトとをさらに備え、前記下腹ベルトは、中央部付近が千鳥縫いされて前記下腹筒部の背面側に固定され、両端部側が前記下腹筒部の正面側で着脱自在とされることを特徴とする。
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】変更
【補正の内容】
【００２２】
第１発明〜第９発明によれば、脚ベルトの何れか一方の端部側が脚ベルト固定部に着脱自在に固定されることによって、脚ベルトに作用させる引張力を調整することが可能となり、その結果、着用者が任意の強さで大腿四頭筋やふくらはぎ等の筋肉や膝の関節をサポートすることが可能となり、怪我の防止と疲労の軽減を実現することが可能となる。
【手続補正１７】
【補正対象書類名】明細書
【補正対象項目名】００２５
【補正方法】変更
【補正の内容】
【００２５】
第１発明によれば、特に、膝関節を安定させるとともに、大腿四頭筋とふくらはぎとの負担を軽減させることが可能となり、怪我の防止と疲労の軽減を実現することが可能となる。また、第１発明によれば、特に、負担を軽減させたい大腿四頭筋やふくらはぎ等の筋肉や膝の関節を着用者が任意で選択することが可能となる。
【手続補正１８】
【補正対象書類名】明細書
【補正対象項目名】００２６
【補正方法】変更
【補正の内容】
【００２６】
第４発明によれば、特に、脚筒部の伸縮が制限されるため、着用者の脚を緊締する力が強くなり、着用者が歩行動作を行うとき、着用者の脚の筋振動を抑制することが可能となり、その負担を軽減することが可能となる。
【手続補正１９】
【補正対象書類名】明細書
【補正対象項目名】００２７
【補正方法】変更
【補正の内容】
【００２７】
第５発明によれば、特に、脚ベルトが膝部の背面側に千鳥縫いされて固定されることによって、着用者が脚ベルトに引張力を作用させたとき、糸が抜けるのを防止することが可能となるとともに、糸切れを防止することが可能となり、脚ベルトが膝部の背面側から脱落するのを防止することが可能となる。
【手続補正２０】
【補正対象書類名】明細書
【補正対象項目名】００２８
【補正方法】変更
【補正の内容】
【００２８】
第６発明によれば、特に、着用者が着用したとき脚ベルト固定部の縁部側に引張力が作用するものの、脚ベルト固定部の縁部側が脚筒部の背面側に千鳥縫いされて固定されることによって、糸が抜けるのを防止することが可能となるとともに、糸切れを防止することが可能となり、脚ベルト固定部が脚筒部の背面側から脱落するのを防止することが可能となる。
【手続補正２１】
【補正対象書類名】明細書
【補正対象項目名】００２９
【補正方法】変更
【補正の内容】
【００２９】
第７発明によれば、特に、脚ベルト固定部の材料のロスを減少させることが可能となる。
【手続補正２２】
【補正対象書類名】明細書
【補正対象項目名】００３０
【補正方法】変更
【補正の内容】
【００３０】
第８発明によれば、特に、脚筒部の下端部が裁断されて形成されることによって、折り返された縫い代が設けられないため、着用者の脚が脚筒部の下端部で擦れるのを防止するとともに、圧迫されるのを軽減することが可能となる。
【手続補正２３】
【補正対象書類名】明細書
【補正対象項目名】００３１
【補正方法】変更
【補正の内容】
【００３１】
第９発明によれば、特に、着用者の股関節が下腹ベルトによって緊締されるため、着用者が歩行動作を行うとき、着用者の股関節の動作を安定させることが可能となり、怪我の防止と疲労の軽減を実現することが可能となる。また、第９発明によれば、特に、下腹ベルトの中央部付近が千鳥縫いされて固定されることによって、下腹ベルトに引張力が作用したとき、糸が抜けるのを防止することが可能となるとともに、糸切れを防止することが可能となり、下腹ベルトが下腹筒部の背面側から脱落するのを防止することが可能となる。
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】変更
【補正の内容】
【００３３】
【図１】（ａ）は、本発明を適用したスパッツを示す正面図であり、（ｂ）は、その背面図である。
【図２】（ａ）は、本発明を適用したスパッツを着用者が着用した状態を示す正面図であり、（ｂ）は、その背面図である。
【図３】（ａ）は、本発明を適用したスパッツを着用者が着用した状態を示す正面図であり、（ｂ）は、その背面図である。
【図４】（ａ）は、本発明を適用したスパッツを着用者が着用した状態を示す正面図であり、（ｂ）は、その背面図である。
【図５】（ａ）は、本発明を適用したスパッツを着用者が着用した状態を示す正面図であり、（ｂ）は、その背面図である。
【図６】（ａ）は、シャツを示す正面図であり、（ｂ）は、その背面図である。
【図７】（ａ）は、シャツを着用者が着用した状態を示す正面図であり、（ｂ）は、その背面図である。
【手続補正２６】
【補正対象書類名】明細書
【補正対象項目名】００８８
【補正方法】変更
【補正の内容】
【００８８】
次に、シャツ９を実施するための形態について、図面を参照しながら詳細に説明する。
【手続補正２７】
【補正対象書類名】明細書
【補正対象項目名】００８９
【補正方法】変更
【補正の内容】
【００８９】
シャツ９は、着用者の筋肉の動作をサポートするものであって、Ｔシャツ型に形成される。シャツ９は、日常生活時やランニングや登山等の運動時等に用いられる。
【手続補正２８】
【補正対象書類名】明細書
【補正対象項目名】０１０１
【補正方法】変更
【補正の内容】
【０１０１】
次に、シャツ９の作用効果について説明する。
【手続補正２９】
【補正対象書類名】明細書
【補正対象項目名】０１０２
【補正方法】変更
【補正の内容】
【０１０２】
図７（ａ）は、シャツ９を着用者が着用した状態を示す正面図を示し、（ｂ）は、その背面図を示す。